(57)【要約】【課題】スマートフォンを防犯のための監視カメラ用途に使用する際、部屋を全体を見渡せる高い位置にスマートフォンを設置すると、スマートフォン付属のＡＣコードが届かず、かつバッテリーが不足するため、長時間監視できない。また、車のいたずら防止として駐車中の車内に設置する場合、エンジン停止中の車から電力を取ることができないため、同様に長時間監視できない。【解決手段】本発明は、スマートフォン１を保持する器具の下部に電力供給手段２を装備し、スマートフォン１に常時電力を供給することで、長時間監視カメラに利用できるスマートフォンホルダである。【選択図】図１
2017050834.tif 000002
【特許請求の範囲】
【請求項１】
監視カメラプログラムをいれたスマートフォンを防犯用途に利用する際に、スマートフォンに常時電力を供給できる電力供給手段を備えたことを特徴とするスマートフォンホルダ。
【請求項２】
スマートフォン背面のカメラを監視カメラとして利用する際の利便性をあげるために、請求項１のホルダにさらにミラーを装着し、監視範囲の調節の利便性を高めることを特徴としたスマートフォンホルダ。
【請求項３】
請求項１のホルダに人感センサーとライトを装備し、暗い室内でも監視できることを特徴としたスマートフォンホルダ。
【請求項４】
請求項１のホルダを屋外設置用のケースに入れ、屋外の監視カメラとして利用することを特徴とする機器。
【請求項５】
請求項１のホルダを車に取り付けられるようにし、車のいたずら防止用監視カメラとして利用することを特徴としたスマートフォンホルダ。
【発明の詳細な説明】
【技術分野】
【０００１】
本発明は、スマートフォンを監視カメラ用途に使用するためにスマートフォンを固定し、バッテリー切れを防ぐために電力供給手段を具備したことを特徴とするホルダに関する。
【背景技術】
【０００２】
スマートフォンは幅広く世に普及し、日本における保有率も50％を超えるようになった。新機種への買い替えも活発で、旧機種のスマートフォンを複数所有する人も多く、使用していないスマートフォンに専用プログラムを入れ、監視カメラ用途に再利用する例も多くみられるようになった。
【０００３】
スマートフォンを防犯用の監視カメラとして使用する場合、監視したい部屋全体が見渡せるよう、部屋の高い位置にスマートフォンを固定するのが望ましい。しかし、このような用途に適するスマートフォン用ホルダは少ない。さらに、数年使われた旧機種のスマートフォンはバッテリーが劣化してる場合が多い上、監視カメラ用途の設置位置が、スマートフォン付属のＡＣアダプタコードが届きにくい場所であることも多い。また、車のいたずら防止として駐車中の車内に設置する場合、エンジン停止中の車から電力を取ることはできない。
【０００４】
以上の理由から、スマートフォン用監視カメラプログラムが存在しながら、このような活用方法は普及していない。
【０００５】
この改善策として、本特許では、常時スマートフォンに電力を供給できるスマートフォンホルダを考案する。電力供給手段にスマートフォンが数日稼働するために十分な容量の充電バッテリーを使用すれば、バッテリーが劣化したスマートフォンであっても、監視カメラとして利用することができる。
【先行技術文献】
【特許文献】
【０００６】
【特許文献１】特開２０１４−８２６４７号公報
【発明の概要】
【発明が解決しようとする課題】
【０００７】
解決しようとする問題点は、バッテリーが劣化した遊休スマートフォンを、防犯のための監視カメラ用途に再利用する際、部屋を全体を見渡せる高い位置にスマートフォンを設置すると、スマートフォン付属のＡＣコードが届かず、かつバッテリーが不足するため、長時間監視できないことである。
【課題を解決するための手段】
【０００８】
本発明のホルダは、スマートフォンを保持する器具の下部に、交換可能な充電バッテリーを装備し、スマートフォンと接続する。充電バッテリーは複数用意し、監視カメラに接続する充電バッテリーの電力がなくなった場合にすぐ交換できるようにしておく。充電バッテリーと同じ形状のＡＣアダプタと十分に長いＡＣコードを装着できるようにすることで、利用者はホルダ設置場所に合わせて良い方を選択できる。
【発明の効果】
【０００９】
本発明のホルダを使用すると、常時スマートフォンに電力供給できるので、電力を消費しがちな監視カメラプログラムを常時動作させても、留守中にバッテリー不足で監視が中断する問題がない。
【図面の簡単な説明】
【００１０】
【図１】図１はスマートフォンを監視カメラとして利用できるよう、常時電力を供給するホルダの実施方法を示した説明図である。（実施例１）
【図２】図２はスマートフォンの背面カメラを使用した場合に撮影範囲を確認しやすい様、ミラーを装備したホルダの実施方法を示した説明図である。（実施例２）
【図３】図３は暗い部屋でも撮影できるよう、人感センサーとライトを装備したスマートフォンホルダの実施方法を示した説明図である。（実施例３）
【図４】図４はスマートフォンを屋外の監視カメラとして利用するための実施方法を示した説明図である。（実施例４）
【図５】図５は車のいたずら防止用監視カメラとして利用するための実施方法を示した説明図である。（実施例５）
【実施例１】
【００１１】
図１は、本発明装置の１実施例の正面図および側面図であって、１〜６は、図２、図３、図４、図５と同様である。
【００１２】
スマートフォン１はスマートフォン固定器具３によって固定される。スマートフォン固定器具３は、スマートフォン１をどのように取り付けても、スマートフォン１の画面、マイク、コネクタ、操作スイッチを塞がない形状とする。
【００１３】
電力供給手段２は電力供給手段固定器具５によってホルダに固定される。電力供給手段２は充電バッテリーまたはＡＣアダプタである。これがスマートフォン１に電力を供給する。また、電力供給手段２が充電バッテリーの場合、充電状態を示すLEDが装備されており、どのくらい使える状態にあるのかわかるようになっている。
【００１４】
可動部４はスマートフォン固定器具３を自由な角度で調整し、固定することができる。本体取り付け部６はホルダ全体を壁７に、ホルダ全体を支えるのに十分な強度で取り付ける。
【実施例２】
【００１５】
図２の実施例は、スマートフォン１の背面カメラを使用した場合の取り付け方法を示したものである。一般的にスマートフォンは前面カメラより背面カメラに性能の良いカメラを装備することが多く、また、前面カメラを持たない機種も存在する。この場合、部屋全体を監視できているかをスマートフォン１の前面画面で確認する必要があるが、ミラー８でスマートフォン１の画面を映すことによって、画面を確認しながらスマートフォン固定器具３の角度を変えることができる。
【実施例３】
【００１６】
図３の実施例は、暗い部屋を撮影できるよう、人感センサー９とライト１０を備えた実施例である。防犯用の監視カメラは不在の自宅を撮影するものであり、部屋の照明は落としておくことが一般的である。スマートフォンのカメラは暗い部屋の撮影には適しておらず、万一の際に重要な撮影ができていない問題が考えられる。図３の実施例はこの問題を解決するため、人感センサー９が異常を感知すると、ライト１０がスマートフォンの撮影に十分な照度を発生させる。人感センサー９およびライト１０に必要な電力は、電力供給手段２から供給する。このような仕組みは、空き巣等にスマートフォンによる監視カメラの存在を知られることになるが、多くのスマートフォン監視カメラプログラムは、撮影した結果をインターネット上のクラウドサービスに保存するので、万が一空き巣等にスマートフォンを破壊されても、空き巣を撮影した映像を残すことができる。
【実施例４】
【００１７】
図４の実施例は、屋外の監視カメラとして使用できるよう、屋外設置用ケース１１にホルダを入れ、屋外ポール１４に取り付けるよう屋外ケース取り付け金具１３を持ち、スマートフォン盗難防止として鍵１２を備えた事例である。この場合、人感センサー９、ライト１０は、屋外設置用ケース１１の外部に装着する。
【実施例５】
【００１８】
図５の実施例は、車のいたずら防止用監視カメラとして使用できるよう、車のサンバイザ１５に取り付けた例である。この場合スマートフォン１はネットワークに接続して録画データをクラウドに保存できるようにしておく。通常エンジン停止中の車内では電源を取ることができないが、本発明では電力供給手段２により、長時間スマートフォン１を監視カメラとして稼働させておくことができる。
【産業上の利用可能性】
【００１９】
部屋全体を見渡せる高い位置や、エンジン停止中の車内にスマートフォンによる監視カメラを取り付けることができ、留守中の空き巣対策や車のいたずら防止に利用することができる。
【符号の説明】
【００２０】
１    スマートフォン
２    電力供給手段
３    スマートフォン固定器具
４    可動部
５    電力供給手段固定器具
６    本体取り付け部
７    壁
８    ミラー
９    人感センサー
１０  ライト
１１  屋外設置用ケース
１２  鍵
１３  屋外ケース取り付け金具
１４  屋外ポール
１５  サンバイザ
１６  車天井
１７  フロントガラス
【図１】
2017050834.tif 000003
【図２】
2017050834.tif 000004
【図３】
2017050834.tif 000005
【図４】
2017050834.tif 000006
【図５】
2017050834.tif 000007